(57)【要約】【課題】静音性を効果的に高めることができる排水ポンプ用回転羽根およびそれを有する排水ポンプを提供する。【解決手段】排水ポンプ１の回転羽根３０は、大径羽根３３の外側端部３３ｃおよび補助羽根３５の外側端部３３ｃにある水流方向規制部３８の下部に設けられた水流引き込み規制部３９を有する。水流引き込み規制部３９は、水流方向規制部３８より径方向外側および回転方向後側に突出している。水流引き込み規制部３９によって、大径羽根３３の水流方向規制部３８の下部寄りを通る水の流れＦ２が、径方向外側および回転方向後側に導かれる。【選択図】  図３
2020122418.tif 000002
【特許請求の範囲】
【請求項１】
軸部と、前記軸部から径方向に延びる複数の大径羽根と、前記複数の大径羽根の下端部に連設された複数の小径羽根と、前記複数の大径羽根の下端部を連結する円環状の連結部と、を有する排水ポンプ用回転羽根であって、
前記大径羽根の外側端部の下部に設けられ、当該外側端部の上部より径方向外方および回転方向後方の少なくとも一方に突出する水流引き込み規制部を有することを特徴とする排水ポンプ用回転羽根。
【請求項２】
前記複数の大径羽根の間に配置された複数の補助羽根をさらに有し、
前記補助羽根の外側端部の下部に設けられ、当該外側端部の上部より径方向外方および回転方向後方の少なくとも一方に突出する水流引き込み規制部を有する、請求項１に記載の排水ポンプ用回転羽根。
【請求項３】
前記水流引き込み規制部は、平面視形状が長円形または楕円形に形成されている、請求項１または請求項２に記載の排水ポンプ用回転羽根。
【請求項４】
前記水流引き込み規制部は、回転方向前方から後方に向かうにしたがって上方に向かうように傾斜する上面を有する、請求項１〜請求項３のいずれか一項に記載の排水ポンプ用回転羽根。
【請求項５】
下方に向く吸込口が設けられた吸込管を有するハウジングと、前記ハウジングに収容された回転羽根と、前記回転羽根を回転させるモータと、を有する排水ポンプであって、
前記回転羽根が、請求項１〜請求項４のいずれか一項に記載の排水ポンプ用回転羽根である、排水ポンプ。
【発明の詳細な説明】
【技術分野】
【０００１】
本発明は、例えば、空気調和機の室内ユニット等に用いられる排水ポンプ、および、この排水ポンプが有する排水ポンプ用回転羽根に関する。
【背景技術】
【０００２】
空気調和機の室内ユニットでは、冷房運転時に空気中の水分が凝縮して熱交換器に付着する。熱交換器に付着した水分は水滴となってドレンパンに落下する。そして、ドレンパンに溜まった水（ドレン水）は、排水ポンプによって室内ユニット外部に排出される。このような空気調和機に用いられる排水ポンプの一例が特許文献１に開示されている。
【０００３】
特許文献１の排水ポンプに用いられる回転羽根を図１０に示す。図１０（ａ）〜（ｃ）は、この回転羽根の一部分を拡大した斜視図、平面図および正面図である。回転羽根９３０は、等角度間隔で設けられた複数の平板状の大径羽根９３３と、隣り合う大径羽根９３３の間に設けられた複数の平板状の補助羽根９３５と、を有している。大径羽根９３３および補助羽根９３５は、それぞれの下端部が中央に開口９３７が設けられた円環状の連結部９３６によって連結されている。
【０００４】
大径羽根９３３の外側端部９３３ｃには、柱状の水流方向規制部９３８が設けられている。補助羽根９３５の外側端部９３５ｃにも同様に水流方向規制部９３８が設けられている。回転羽根９３０は、水流方向規制部９３８により水の流れを規制して、高い静音性を実現している。
【先行技術文献】
【特許文献】
【０００５】
【特許文献１】特許６３７５２８５号
【発明の概要】
【発明が解決しようとする課題】
【０００６】
回転羽根９３０が回転すると、大径羽根９３３における回転方向前方を向く水掻き面９３３ａにぶつかった水は、大径羽根９３３の上端部９３３ｂおよび外側端部９３３ｃを通って大径羽根９３３の後側に回り込む。このとき、大径羽根９３３の後側には主に上端部９３３ｂから水が供給されることから、大径羽根９３３の背面近傍では上端部９３３ｂ寄りの部分に比べて下端部寄りの部分の負圧が大きくなる。そのため、大径羽根９３３の外側端部９３３ｃの上部寄りを通る水の流れ（図１０において矢印ｆ１で模式的に示す）より下部寄りを通る水の流れ（図１０において矢印ｆ２で模式的に示す）が径方向内方に大きく引き込まれて、水の流れｆ１と水の流れｆ２とが径方向にずれてしまうことがある。これにより、大径羽根９３３の直後の補助羽根９３５の水掻き面９３５ａにおいて、上端部９３５ｂ寄りの部分と下端部寄りの部分において水のぶつかる位置に差異が生じて振動が発生し、騒音の原因となるおそれがある。
【０００７】
そこで、本発明は、静音性を効果的に高めることができる排水ポンプ用回転羽根およびそれを有する排水ポンプを提供することを目的とする。
【課題を解決するための手段】
【０００８】
上記目的を達成するために、本発明の一態様に係る排水ポンプ用回転羽根は、  軸部と、前記軸部から径方向に延びる複数の大径羽根と、前記複数の大径羽根の下端部に連設された複数の小径羽根と、前記複数の大径羽根の下端部を連結する円環状の連結部と、を有する排水ポンプ用回転羽根であって、前記大径羽根の外側端部の下部に設けられ、当該外側端部の上部より径方向外方および回転方向後方の少なくとも一方に突出する水流引き込み規制部を有することを特徴とする。
【０００９】
本発明において、前記複数の大径羽根の間に配置された複数の補助羽根をさらに有し、前記補助羽根の外側端部の下部に設けられ、当該外側端部の上部より径方向外方および回転方向後方の少なくとも一方に突出する水流引き込み規制部を有することが好ましい。
【００１０】
本発明において、前記水流引き込み規制部は、平面視形状が長円形または楕円形に形成されていることが好ましい。
【００１１】
本発明において、前記水流引き込み規制部は、回転方向前方から後方に向かうにしたがって上方に向かうように傾斜する上面を有するくさび状に形成されていることが好ましい。
【００１２】
上記目的を達成するために、本発明の他の一態様に係る排水ポンプは、下方に向く吸込口が設けられた吸込管を有するハウジングと、前記ハウジングに収容された回転羽根と、前記回転羽根を回転させるモータと、を有する排水ポンプであって、前記回転羽根が、上記排水ポンプ用回転羽根である。
【発明の効果】
【００１３】
本発明によれば、大径羽根の外側端部の下部に設けられ、当該外側端部の上部より径方向外方および回転方向後方の少なくとも一方に突出する水流引き込み規制部を有する。このようにしたことから、水流引き込み規制部によって、大径羽根の外側端部の下部寄りを通る水の流れが、径方向外方または回転方向後方に導かれる。そのため、大径羽根の外側端部の下部寄りを通る水の流れが、大径羽根の後側に大きく引き込まれることを抑制することができる。したがって、大径羽根の直後の水掻き面において、上端部寄りの部分と下端部寄りの部分への水のぶつかり具合に差異が生じることを抑制することができ、振動に起因する騒音を抑えて、静音性を効果的に高めることができる。
【図面の簡単な説明】
【００１４】
【図１】本発明の第１実施例に係る排水ポンプを示す図である。
【図２】図１の排水ポンプに用いられる回転羽根を示す図である。
【図３】図２の回転羽根の一部分を拡大した図である。
【図４】図１の排水ポンプと従来の排水ポンプとの騒音の大きさを示すグラフである。
【図５】図２の回転羽根の変形例の構成を示す図である。
【図６】図２の回転羽根の他の変形例の構成を示す図である。
【図７】本発明の第２実施例に係る排水ポンプが有する回転羽根を示す図である。
【図８】図７の回転羽根の一部分を拡大した図である。
【図９】図７の回転羽根の変形例の構成を示す図である。
【図１０】従来の排水ポンプが有する回転羽根を示す図である。
【発明を実施するための形態】
【００１５】
（第１実施例）
以下、本発明の第１実施例に係る排水ポンプの構成について図１〜図６を参照して説明する。本実施例の排水ポンプは、一例として、空気調和機の室内ユニットのドレンパンに溜まったドレン水を外部に排出するためのものである。もちろん、この排水ポンプの用途は、ドレン水の排出に限られず、各種液体の排出や汲み上げなどに用いることができる。後述する第２実施例の排水ポンプも同様である。
【００１６】
図１は、本発明の第１実施例に係る排水ポンプを示す図であり、具体的には、排水ポンプの下部について吐出管の軸線を通る面で切断した部分断面図を含む正面図である。図２は、図１の排水ポンプに用いられる回転羽根を示す図である。図３は、図２の回転羽根の一部分を拡大した図である。図４は、図１の排水ポンプと従来の排水ポンプとの騒音の大きさを示すグラフである。図５は、図２の回転羽根の変形例の構成を示す図である。図６は、図２の回転羽根の他の変形例の構成を示す図である。図２、図３、図５および図６の（ａ）〜（ｃ）は、順に斜視図、平面図および正面図である。
【００１７】
図１に示すように、本実施例の排水ポンプ１は、ハウジング１０と、カバー２０と、排水ポンプ用回転羽根である回転羽根３０と、モータ４０と、を有している。本実施例において、ハウジング１０、カバー２０および回転羽根３０は、合成樹脂製である。
【００１８】
ハウジング１０は、本体部１１と、吸込管１６と、吐出管１８とを一体に有している。本体部１１は、逆円錐台形状を有する底壁部１２と、底壁部１２の外周縁に連設された周壁部１３と、を有している。吸込管１６は、底壁部１２の中心から下方に延びている。吸込管１６の下端には、下方に向く吸込口１７が設けられている。吐出管１８は、周壁部１３から側方（図１の右方向）に延びている。吐出管１８の先端には、側方を向く吐出口１９が設けられている。本体部１１の周壁部１３には、吐出管１８への入口となる吐出管入口１５が設けられている。
【００１９】
ハウジング１０は、その内側に後述する回転羽根３０が配置される空間を有しており、当該空間をカバー２０とともに囲むことでポンプ室２５を形成（画定）している。
【００２０】
カバー２０は、略円筒形状を有し、その下端部がハウジング１０の本体部１１の上部開口と嵌合されて、図示しないスナップフィット機構によりハウジング１０に固定して取り付けられる。カバー２０の上端部には、係止部２１を介してブラケット２２が取り付けられている。ブラケット２２には、排水ポンプ１を他の機器に取り付けるための取付部２３が設けられている。カバー２０には、回転羽根３０を回転させるモータ４０が収容されている。
【００２１】
回転羽根３０は、ポンプ室２５に回転可能に収容されている。回転羽根３０は、図２および図３に示すように、軸部３１と、複数の大径羽根３３と、複数の小径羽根３４と、複数の補助羽根３５と、連結部３６と、複数の水流方向規制部３８と、複数の水流引き込み規制部３９と、を有している。回転羽根３０は、平板状に形成された大径羽根３３、小径羽根３４および補助羽根３５を複数枚有しており、本実施例においてはそれぞれ４枚ずつ有している。なお、補助羽根３５を省略した構成を採用してもよい。回転羽根３０は、図２（ｂ）において軸部３１を中心に反時計方向に回転される。
【００２２】
軸部３１は、円柱状に形成されており、カバー２０の中央に設けられた貫通孔２４に通されている。軸部３１の上端部には取付穴３２が設けられている。取付穴３２は、モータ４０の駆動軸４１が嵌合されている。
【００２３】
複数の大径羽根３３は、軸部３１の外周面から放射方向（径方向外方）に延びている。複数の大径羽根３３は、軸部３１を中心に等角度間隔（本実施例においては９０度間隔）で配置されている。
【００２４】
複数の小径羽根３４は、各大径羽根３３の下端部における軸部３１寄りの部分に連設されており下方に延びている。複数の小径羽根３４は、吸込管１６に挿入されている。複数の小径羽根３４は、軸部３１を中心に等角度間隔（本実施例においては９０度間隔）で配置されている。
【００２５】
補助羽根３５は、後述する連結部３６上において回転方向に隣り合う大径羽根３３の中間に配置され、放射方向に延びている。補助羽根３５は、軸部３１とは接続されていない。
【００２６】
連結部３６は、逆円錐台形状を有し、中央に開口３７が設けられた円環状に形成されている。連結部３６は、各大径羽根３３および各補助羽根３５のそれぞれの下端部を互いに連結している。
【００２７】
水流方向規制部３８は、平面視形状（横断面形状）が長円形となる柱状に形成されている。本実施例において、水流方向規制部３８の平面視形状は、回転方向前方寄りの径が後方寄りの径より大きい長円形である。水流方向規制部３８は、大径羽根３３および補助羽根３５の径方向外方寄りの端部（外側端部３３ｃ）として上下方向に延在して設けられている。水流方向規制部３８の上端部は、大径羽根３３の上端部３３ｂより上方に突出している。水流方向規制部３８を設けることで、回転羽根３０が回転された際に上端部３３ｂおよび外側端部３３ｃが交わる角部近傍において、上端部３３ｂを通る水の流れと外側端部３３ｃを通る水の流れとが三次元的な衝突をすることを抑制する。これにより、当該角部近傍での水の流れを二次元的として乱流の発生を減らし、水の流れに気泡が混じることを抑制できる。
【００２８】
水流引き込み規制部３９は、平面視形状が長円形でかつ上面３９ａが回転方向前方から後方に向かうにしたがって上方に向かうように傾斜する略くさび状に形成されている。水流引き込み規制部３９は、大径羽根３３および補助羽根３５に設けられた水流方向規制部３８の下部に一体に設けられている。
【００２９】
本実施例において、水流引き込み規制部３９の平面視形状は、水流方向規制部３８の平面視形状より径方向外方および回転方向後方に張り出しており、回転方向前方寄りの径が後方寄りの径より大きい長円形である。すなわち、水流引き込み規制部３９は、大径羽根３３の外側端部３３ｃおよび補助羽根３５の外側端部３５ｃである水流方向規制部３８の上部より径方向外方および回転方向後方に突出している。なお、水流引き込み規制部３９の平面視形状は、本発明の目的に反しない限り、楕円形や長方形、三角形などの他の形状でもよい。
【００３０】
次に、大径羽根３３に設けられた水流引き込み規制部３９の作用について、図３を参照して説明する。なお、補助羽根３５に設けられた水流引き込み規制部３９も同様の作用を有する。
【００３１】
回転羽根３０が回転すると、吸込口１７から吸込管１６を通ってポンプ室２５に水が吸い上げられる。そして、ポンプ室２５において、大径羽根３３の回転方向前方を向く水掻き面３３ａにぶつかった水は、一部が大径羽根３３の上端部３３ｂを通って大径羽根３３の後側に流れ、他の一部が大径羽根３３の外側端部３３ｃを通って大径羽根３３の後側に流れる。このとき、大径羽根３３の後側には主に上端部３３ｂから水が供給されることから、大径羽根３３の背面近傍では上端部寄りの部分に比べて下端部寄りの部分の負圧が大きくなる。
【００３２】
ここで、大径羽根３３の外側端部３３ｃを通る水の流れに着目する。外側端部３３ｃの下部寄りを通る水の流れ（図３において矢印Ｆ２で模式的に示す）は、水流引き込み規制部３９の上面３９ａに沿って徐々に上方に向かう。そのため、上面３９ａに沿う水の流れＦ２により水流引き込み規制部３９の側面３９ｂ近傍への水の供給が少なくなり当該側面３９ｂ近傍に負圧が生じる。これにより、上面３９ａに沿う水の流れＦ２は上面３９ａの途中から側面３９ｂ側に向かって引き寄せられる。
【００３３】
また、水流引き込み規制部３９が長円形であることから、側面３９ｂの後方寄りの箇所には側面３９ｂから剥離した水の渦（剥離流）が生じる。そのため、水の流れＦ２は、上面３９ａから側面３９ｂ側に引き寄せられたあと、剥離流を迂回するように外側に大きく膨らむ。
【００３４】
このように、水流引き込み規制部３９は、大径羽根３３の外側端部３３ｃである水流方向規制部３８の下部寄りを通る水の流れＦ２を外側に膨らませて、径方向内方に引き込まれることを規制する。これにより、水流方向規制部３８の上部寄りを通る水の流れ（図３において矢印Ｆ１で模式的に示す）と下部寄りを通る水の流れＦ２とが、大径羽根３３の直後の補助羽根３５の水掻き面３５ａ上で径方向にずれてしまうことを抑制することができる。
【００３５】
本発明者らは、本実施例の排水ポンプ１（第１実施例）および図１０に示す従来の回転羽根を有する排水ポンプ（従来例）を用いてドレン水を吐出したときの揚程と騒音の大きさとの関係について検証した。検証結果を図４に示す。図４のグラフが示すように、第１実施例の排水ポンプは揚程にかかわらず従来例の排水ポンプより騒音が小さく静音性が向上している。
【００３６】
以上より、本実施例の排水ポンプ１によれば、大径羽根３３の外側端部３３ｃおよび補助羽根３５の外側端部３５ｃである水流方向規制部３８の下部に設けられ、水流方向規制部３８より径方向外方および回転方向後方に突出する水流引き込み規制部３９を有する。このようにしたことから、水流引き込み規制部３９によって、水流方向規制部３８の下部寄りを通る水の流れＦ２が、径方向外方および回転方向後方に導かれる。そのため、水流方向規制部３８の下部寄りを通る水の流れＦ２が、大径羽根３３の後側および補助羽根３５の後側に大きく引き込まれることを抑制することができる。したがって、大径羽根３３の直後の補助羽根３５の水掻き面３５ａにおいて、上端部寄りの部分と下端部寄りの部分への水のぶつかり具合に差異が生じることを抑制することができる。補助羽根３５の直後の大径羽根３３の水掻き面３３ａにおいても同様である。よって、振動に起因する騒音を抑えて、静音性を効果的に高めることができる。
【００３７】
図５に回転羽根３０の変形例である回転羽根３０Ａを示す。この変形例の回転羽根３０Ａは、水流方向規制部３８に代えて、上端部が大径羽根３３および補助羽根３５と同じ高さとなる（すなわち、上端部が大径羽根３３および補助羽根３５より上方に突出していない）柱状の水流方向規制部３８Ａを有すること以外は、上述した回転羽根３０と同一の構成を有する。
【００３８】
また、図６に回転羽根３０の他の変形例である回転羽根３０Ｂを示す。この他の変形例の回転羽根３０Ａは、水流方向規制部３８を省略したこと以外は、上述した回転羽根３０と同一の構成を有する。
【００３９】
これら変形例の回転羽根３０Ａおよび回転羽根３０Ｂにおいても、上述した回転羽根３０と同様の作用効果を奏する。
【００４０】
（第２実施例）
以下、本発明の第２実施例に係る排水ポンプが有する回転羽根の構成について図７〜図９を参照して説明する。
【００４１】
図７は、本発明の第２実施例に係る排水ポンプが有する回転羽根を示す図である。図８は、図７の回転羽根の一部分を拡大した図である。図９は、図７の回転羽根の変形例の構成を示す図である。図７〜図９の（ａ）〜（ｃ）は、順に斜視図、平面図および正面図である。本実施例の説明において、上述した第１実施例と同一の構成については同一の符号を付して説明を省略する。
【００４２】
本実施例の排水ポンプ（図示なし）は、第１実施例の排水ポンプ１と同様に、ハウジング１０と、カバー２０と、排水ポンプ用回転羽根である回転羽根１３０と、モータ４０と、を有している。
【００４３】
回転羽根１３０は、ポンプ室２５に回転可能に収容されている。回転羽根１３０は、軸部３１と、大径羽根３３と、小径羽根３４と、補助羽根３５と、連結部３６と、水流方向規制部３８と、水流引き込み規制部１３９と、を有している。回転羽根１３０は、第１実施例で説明した回転羽根３０において、水流引き込み規制部３９に代えて、それとは形状の異なる水流引き込み規制部１３９を有する以外は、回転羽根３０と同じ構成を有する。
【００４４】
水流引き込み規制部１３９は、平面視形状（横断面形状）が水流方向規制部３８よりひと回り大きい長円形でかつ水流方向規制部３８より高さの低い柱状に形成されている。水流引き込み規制部１３９の上面１３９ａは軸部３１の軸方向と直交する平面と平行となるように形成されている。水流引き込み規制部１３９は、大径羽根３３および補助羽根３５に設けられた水流方向規制部３８の下部に一体に設けられている。
【００４５】
本実施例において、水流引き込み規制部１３９の平面視形状は、水流方向規制部３８の平面視形状より径方向外側および回転方向後側に張り出しており、回転方向前側寄りの径が後側寄りの径より大きい長円形である。すなわち、水流引き込み規制部１３９は、大径羽根３３の外側端部３３ｃおよび補助羽根３５の外側端部３５ｃである水流方向規制部３８の上部より径方向外方および回転方向後方に突出している。なお、水流引き込み規制部１３９の平面視形状は、本発明の目的に反しない限り、楕円形や長方形、三角形などの他の形状でもよい。
【００４６】
次に、大径羽根３３に設けられた水流引き込み規制部１３９の作用について、図８を参照して説明する。なお、補助羽根３５に設けられた水流引き込み規制部１３９も同様の作用を有する。
【００４７】
回転羽根１３０が回転すると、吸込口１７から吸込管１６を通ってポンプ室２５に水が吸い上げられる。そして、ポンプ室２５において、大径羽根３３における回転方向前方を向く水掻き面３３ａにぶつかった水は、一部が大径羽根３３の上端部３３ｂを通って大径羽根３３の後側に流れ、他の一部が大径羽根３３の外側端部３３ｃを通って大径羽根３３の後側に流れる。このとき、大径羽根３３の後側には主に上端部３３ｂから水が供給されることから、大径羽根３３の背面近傍では上端部寄りの部分に比べて下端部寄りの部分の負圧が大きくなる。
【００４８】
ここで、大径羽根３３の外側端部３３ｃを通る水の流れに着目する。外側端部３３ｃの下部寄りを通る水の流れ（図８において矢印Ｆ２で模式的に示す）は、水流引き込み規制部１３９の側面１３９ｂに沿って流れる。
【００４９】
また、水流引き込み規制部１３９が長円形であることから、側面１３９ｂの後方寄りの箇所には側面１３９ｂから剥離した水の渦（剥離流）が生じる。そのため、水の流れＦ２は、剥離流を迂回するように外側に大きく膨らむ。
【００５０】
このように、水流引き込み規制部１３９は、大径羽根３３の外側端部３３ｃである水流方向規制部３８の下部寄りを通る水の流れＦ２を外側に膨らませて、径方向内方に引き込まれることを規制する。これにより、水流方向規制部３８の上部寄りを通る水の流れ（図３において矢印Ｆ１で模式的に示す）と下部寄りを通る水の流れＦ２とが、大径羽根３３の直後の補助羽根３５の水掻き面３５ａ上で径方向にずれてしまうことを抑制することができる。したがって、大径羽根３３の直後の補助羽根３５の水掻き面３５ａにおいて、上端部３５ｂ寄りの部分と下端部寄り（連結板３６寄り）の部分への水のぶつかり具合に差異が生じることを抑制することができる。
【００５１】
図９に回転羽根１３０の変形例である回転羽根１３０Ａを示す。この変形例の回転羽根１３０Ａは、水流方向規制部３８に代えて、上端部が大径羽根３３および補助羽根３５と同じ高さとなる（すなわち、上端部が大径羽根３３および補助羽根３５より上方に突出していない）柱状の水流方向規制部３８Ａを有すること以外は、上述した回転羽根１３０と同一の構成を有する。
【００５２】
第２実施例の回転羽根１３０およびその変形例の回転羽根１３０Ａにおいても、上述した第１実施例の回転羽根３０と同様の作用効果を奏する。
【００５３】
上述した各実施例において、水流引き込み規制部３９、１３９は、大径羽根３３の外側端部３３ｃである水流方向規制部３８より径方向外方および回転方向後方に突出する構成であったが、これに限定されるものではない。水流引き込み規制部は、本発明の目的に反しない限り、大径羽根および補助羽根の外側端部より少なくとも径方向外方および回転方向後方のいずれか一方に突出する構成であればよい。
【００５４】
上記に本発明の実施例を説明したが、本発明はこれらの例に限定されるものではない。上記の実施例に対して、当業者が適宜、構成要素の追加、削除、設計変更を行ったものや、実施例の特徴を適宜組み合わせたものも、本発明の趣旨に反しない限り、本発明の範囲に含まれる。
【符号の説明】
【００５５】
１…排水ポンプ、１０…ハウジング、１１…本体部、１２…底壁部、１３…周壁部、１５…吐出管入口、１６…吸込管、１７…吸込口、１８…吐出管、１９…吐出口、２０…カバー、２１…係止部、２２…ブラケット、２３…取付部、２４…貫通孔、２５…ポンプ室、３０…回転羽根、３１…軸部、３２…取付穴、３３…大径羽根、３３ａ…水掻き面、３３ｂ…上端部、３３ｃ…外側端部、３４…小径羽根、３５…補助羽根、３５ａ…水掻き面、３５ｂ…上端部、３６…連結部、３７…開口、３８…水流方向規制部、３９…規制部、３９ａ…上面、３９ｂ…側面、４０…モータ、４１…駆動軸、９３０…回転羽根、９３３…大径羽根、９３３ａ…水掻き面、９３３ｂ…上端部、９３３ｃ…外側端部、９３５…補助羽根、９３５ａ…水掻き面、９３５ｂ…上端部、９３５ｃ…外側端部、９３６…連結部、９３７…開口、９３８…水流方向規制部、ｆ１…大径羽根の外側端部の上部寄りを通る水の流れ、ｆ２…大径羽根の外側端部の下部寄りを通る水の流れ、Ｆ１…大径羽根の外側端部の上部寄りを通る水の流れ、Ｆ２…大径羽根の外側端部の下部寄りを通る水の流れ
【図１】
2020122418.tif 000003
【図２】
2020122418.tif 000004
【図３】
2020122418.tif 000005
【図４】
2020122418.tif 000006
【図５】
2020122418.tif 000007
【図６】
2020122418.tif 000008
【図７】
2020122418.tif 000009
【図８】
2020122418.tif 000010
【図９】
2020122418.tif 000011
【図１０】
2020122418.tif 000012